(57)【要約】本発明は哺乳瓶の乳首に関し、寸法安定材料から作製される受ヘッド（２）と、ゴム弾性材料から作製される吸引要素（１）からなる。瓶内部に通じる流入流路（２０７）と、ここから受ヘッド（２）の外面へ通じる流路(２０８，２０９)は受ヘッド（２）に設けられている。吸引要素（１）は初期位置において受ヘッド（２）の外面（２１１）の少なくとも一部に弾力的に当接し、封止する。ミルク流路（１１４）は、吸引要素（１）と受ヘッド（２）間の接触領域に存在し、その一端で受ヘッド（２）の流路（２０８，２０９）に通じ、マウスピース（１１７）の放出流路（１１６）に通じ、マウスピース（１１７）内に減圧が生じたときにミルクが哺乳瓶からミルク流路（１１４）を介して放出流路（１１６）に流れることができ、減圧がないときには吸引要素が初期位置に戻ることができミルクの流れが遮断される。本発明による乳首は母乳の自然な流れを再現する。【選択図】図１＊、図２＊
2009538161.tif 000002
【特許請求の範囲】
【請求項１】
寸法安定材料から作製される受ヘッド（２）と、
ゴム弾性材料から作製される吸引本体（１）を有し、
受ヘッド（２）は乳首の芯として設計され、吸引本体（１）を受ヘッド（２）上に押し付けることができ、
吸引本体（１）はマウスピース（１１７）とそこに延びるミルク放出流路（１１６）を有し、マウスピース（１１７）内に減圧が発生したときにミルクがミルク瓶から放出流路（１１６）に流れ、
吸引本体（１）は、初期状態において、内面（１１５）で受ヘッド（２）の外面（２１１）の少なくとも一部に弾力的に当接し、封止し、
瓶内部に通じる流入流路（２０７）が受ヘッド（２）内に備えられている哺乳瓶用乳首において、
受ヘッド（２）に、流入流路（２０７）から受ヘッド（２）外面に通じる少なくとも１つの流路（２０８）が備えられ、
吸引本体（１）と受ヘッド（２）間の接触領域に、受ヘッド（２）の少なくとも１つの流路（２０８）と連通し、マウスピース（１１７）内の放出流路（１１６）に通じるミルク流路（１１４）が存在し、マウスピース（１１７）内に減圧が発生したときに、ミルクがミルク瓶からミルク流路（１１４）を介して放出流路（１１６）に流れ、減圧がないときには吸引本体（１）が初期位置に戻ることができミルクの流れが遮断されることを特徴とする哺乳瓶用乳首。
【請求項２】
吸引本体（１）の内面（１１５）及び／又は受ヘッド（２）の外面（２２１）にミルク流路が配置され、これらはいずれの場合でも他方の面（１１５，２２１）に向かって開いている請求項１に記載の乳首。
【請求項３】
ミルク流路（１１４）が細管として設計されている請求項１又は２に記載の乳首。
【請求項４】
受ヘッド（２）と吸引本体（１）をミルク瓶に取り外し可能に連結するための手段、特にねじ山リング（２０３）を備える請求項１〜３のいずれか１項に記載の乳首。
【請求項５】
吸引本体（１）が一部品又は多部品で設計されている請求項１〜４のいずれか１項に記載の乳首。
【請求項６】
吸引本体（１）が、少なくとも柔軟性のある材料から製造される外部部品１２０ａとより硬い材料から製造される内部部品１２０ｂから構成され、これらの部品は好ましくは取り外し不可能に互いに接続している請求項１〜５のいずれか１項に記載の乳首。
【請求項７】
吸引本体（１）が多部分射出形成技術によって異なった硬度の２つの材料から製造される請求項１〜６のいずれか１項に記載の乳首。
【請求項８】
吸引本体（１）がマウスピース（１１７）より大きな外径を有する唇支持部（１１９）を有し、唇支持部（１１９）からマウスピース（１１７）への移行部において吸引本体（１）の外部部品（１２０ａ）がマウスピース（１１７）より大きい壁厚さを有する請求項６に記載の乳首。
【請求項９】
受ヘッド（２）が回転体の形を有し、特に、球、円錐、水滴、円筒の形、又はこれらの組み合わせの形を有する請求項１〜８のいずれか１項に記載の乳首。
【請求項１０】
ミルク流路（１１４）が直線状、曲線状又は糸状であり、互いに分離して又は互いに連結して延びる請求項１〜９のいずれか１項に記載の乳首。
【請求項１１】
ミルク流路（１１４）の全てのトータルの断面積が、様々な年令の幼児の使用に応じて大きさが異なる請求項１〜１０のいずれか１項に記載の乳首。
【請求項１２】
大きい断面を有するミルク室（１０９）がミルク流路（１１４）に設けられている請求項１〜１１のいずれか１項に記載の乳首。
【請求項１３】
ミルク室（１０９）が反対面方向に開いているポケットとして設計されている請求項１２に記載の乳首。
【請求項１４】
通気口（２１２）が受ヘッド（２）に備えられ、この通気口（２１２）を閉じる封止唇（１０２）が吸引本体（１）に設けられ、瓶内が減圧のときに封止唇（１０２）が外気が流れこむことを可能にすることを特徴とする請求項１〜１３いずれか１項に記載の乳首。
【請求項１５】
所定の経年を知らせる手段が吸引本体（１）に備えられている請求項１〜１４のいずれか１項に記載の乳首。
【請求項１６】
吸引本体が所定破損領域（１１８）を有する、特に請求項１〜１５のいずれか１項に記載の乳首と吸引本体。
【請求項１７】
所定破損領域（１１８）が、放出流路（１１６）があるマウスピース（１１７）と、マウスピース（１１７）と比較してより幅広い唇支持部（１１９）の間にある移行領域に設けられる請求項１６に記載の乳首。
【請求項１８】
寸法安定材料から作製される受ヘッド（２）と、ゴム弾性材料により作られる吸引本体１を有し、
受ヘッド（２）は乳首の芯として設計され、吸引本体（１）を受ヘッド（２）上に押し付けることができ、
吸引本体（１）はマウスピース（１１７）とそこに延びるミルク放出流路（１１６）を有し、マウスピース（１１７）内に減圧が発生したときにミルクがミルク瓶から放出流路（１１６）に流れ、
吸引本体（１）は、初期位置において、内面（１１５）で受ヘッド（２）の外面（２１１）の少なくとも一部に弾力的に当接し、封止する哺乳瓶用乳首において、
吸引本体（１）と受ヘッド（２）間の接触領域にある細管状ミルク流路（１１４）が、マウスピース（１１７）内の放出流路（１１６）に向かって通じ、マウスピース（１１７）内に減圧が発生したときに、ミルクがミルク瓶からミルク流路（１１４）を介して放出流路（１１６）に流れ、減圧がないときは吸引本体（１）が初期位置に戻ることができ、ミルクの流れが遮断されることを特徴とする哺乳瓶用乳首。
【請求項１９】
寸法安定材料から作製される受ヘッド（２）と、ゴム弾性材料により作られる吸引本体１を有し、
受ヘッド（２）は乳首の芯として設計され、吸引本体（１）を受ヘッド（２）上に押し付けることができ、
吸引本体（１）はマウスピース（１１７）とそこに延びるミルク放出流路（１１６）を有し、マウスピース（１１７）内に減圧が発生したときにミルクがミルク瓶から放出流路（１１６）に流れ、
吸引本体（１）は、初期位置において、内面（１１５）で受ヘッド（２）の外面（２１１）の少なくとも一部に弾力的に当接し、封止し、
瓶内に通じる流入流路（２０７）が受ヘッド（２）に備えられている哺乳瓶用乳首において、
受ヘッド（２）が、吸引本体（１）の接触領域において、流入流路（２０７）から受ヘッド（２）の外面へ通じる少なくとも１つの流路（２０８）を備え、マウスピース（１１７）内に減圧が発生したときに、ミルクがミルク瓶からミルク流路（１１４）を介して放出流路（１１６）に流れ、減圧がないときは吸引本体（１）が初期位置に戻ることができ、ミルクの流れが遮断されることを特徴とする哺乳瓶用乳首。
【発明の詳細な説明】
【技術分野】
【０００１】
本発明は、哺乳瓶、すなわち乳児用ミルク瓶用乳首に関する。
【背景技術】
【０００２】
授乳は乳児を育てる最高で最も自然な方法である。多くの科学研究は母乳は乳児の発育に非常に重要であることを示した。免疫系が強くなる程、乳児は健全になる。乳房の吸引の力学的効果も口蓋形と筋肉発達に大きな影響を与える。しかしながら、授乳は常に可能というわけではなく、ある程度しかできない場合もある。例えば、乳児が飲みたがっているときに母親が仕事に戻り又は不在の場合、病気の場合、乳首が痛む場合、又は母親にごく少量のミルクしかない場合、乳児は代わりの食料をさらに求める。
【０００３】
これらの状況で、ミルクは瓶、スプーン、ビーカー、又は指によりくみ上げられ、乳児に与えられる。しかしながら今日利用可能な乳首は授乳に悪い影響を与える。乳児が乳房で吸引技術を習得しなければならない点に問題がある。乳児が乳房に慣れはじめ、その後瓶から飲まなければならなくなったとき、乳児ははじめ乳房と同じ方法で瓶から吸引する。乳首が違ったように振る舞い、吸引とミルクの流れの間の割合が異なることに乳児は気づく。舌の蠕動運動も同じようにできない。多くの従来の乳首では、乳児は吸引を弱める代わりに舌によってミルクの流れを止めなければならない。
【０００４】
ほとんどの乳首は内部が中空で出口に穴又は切口を有している。しかしながら出口の穴の直径はめったに最適ではない。流路は大きすぎるか小さすぎる。さらに内部が中空の乳首は正しい弾力性を有していない。これらはしばしば柔らかすぎ又は硬すぎる。今日利用可能な乳首の他の弱点は、吸引段階でマウスピースの伸びが実際に起こらないということである。
【０００５】
吸引中の重大な要素は、乳児の唇と唇支持部に関する乳輪間の接点である。従来の乳首では、唇は自然な状態で支持されなかった。なぜならば、唇支持部の領域で、乳首は機能に関与していなく、これらは中空であり弾力性が極めて低いからである。
【０００６】
バルブ付の乳首が開発されたことは事実である（ＥＰ１  ４１６  ９００  Ｂ１，  ＵＳ  ２００４／１４４７４４，  ＵＳ  ５  ０３５  ３４０）。細管を有する乳首の特許もまた存在し（ＭＸＰＡ０５００４９７２，  ＵＳ６５８８６１３）、これらは自然の機能をより良く再現しようと意図されたものである。しかしながら、これらの機構は使用に様々な不都合を有し、製造することが特に困難である。さらに、洗浄が困難で、これは衛生面の欠点となる。
【０００７】
ＷＯ０３／０１３４１９は内部部品と外部部品を有する哺乳瓶用乳首を開示する。２つの部品が柔軟性のある膜として設計され、これらの間に室を形成する。内部部品はバルブを備え、バルブは瓶から室内へのミルクの流れを調整する。外部部品は先端に開口部を有し、乳児はこの開口部から室内のミルクを吸い出せる。２部品は、外部部品が共に圧迫され又は吸引された時はバルブが閉じ、外部部品が開放されたときはバルブが開くように構成されている。
【０００８】
ＷＯ  ０２／２２０７３は乳児用コップのための２部品乳首を開示する。内部部品はこの場合にはバルブとして機能する。乳首から漏れないように、静止状態では内部部品は上方へばね上げされ、外部部品の開口部を圧迫する。圧力が加われば、内部部品は下に降り、外部部品の開口部を開放する。外部部品が共に圧迫されれば、外部部品は内部部品の側壁にきつく当り、一方、開放状態ではコップへの開通流路を開放する。
【０００９】
ＢＥ  ３８１５２３は、乳首と瓶と乳首間に設けられたプレートを有する哺乳瓶を説明する。このプレートはミルクの流れを調節する細管を有する。
【００１０】
ＧＢ  ２  ３７０  ７８７はバルブを有する哺乳瓶を開示し、バルブは乳首内に設けられ、ミルクの流れを調節することが意図されている。
【００１１】
今日利用可能な乳首では、授乳の自然な機能は全体として再現されていない。自然の機能の個々の面は様々な製造業者によって満たされているが、満足できる程度に授乳の全ての面を再現した製品は、現段階ではない。
【００１２】
このような多くの弱点のために、従来の乳首では、ミルク瓶から飲用するとき、自然なミルク供給動作にならない。乳児はこれらの欠点により苛立ち、間違った方法の吸引に慣れる。これは自然の授乳に悪い影響を与える。授乳の相談役はこれを「乳首混同」と表現する。
【発明の開示】
【発明が解決しようとする課題】
【００１３】
本発明の目的は、ヒト乳房の吸引動作を可能な限り同じに再現する乳首を提供することである。本目的は、請求項１又は請求項１８と１９の特徴を有する乳首によって達成される。
【課題を解決するための手段】
【００１４】
本発明による母乳瓶のための乳首は寸法安定材料から作製される受ヘッドと、ゴム弾性材料から作製される吸引本体を有する。受ヘッドは乳首の芯として設計され、吸引本体を受ヘッド上に押し付けることができる。受ヘッドは瓶内部に通じる流入流路と、これから受ヘッドの外面に通じる少なくとも１つの流路を備える。吸引本体はマウスピースとそこに延びるミルク放出流路を有し、マウスピース内に減圧が発生したときにミルクがミルク瓶から放出流路に流れる。吸引本体は、初期状態において、内面で受ヘッドの外面の少なくとも一部に弾力的に当接し、封止する。吸引本体と受ヘッド間の接触領域にミルク流路が存在し、ミルク流路は受ヘッドの少なくとも１つの流路と連通し、マウスピース内の放出流路に方に延びる。マウスピース内に減圧が発生したとき、ミルクがミルク瓶からミルク流路を介して放出流路に流れ、減圧がないときには、吸引本体が初期位置に戻ることができ、ミルクの流れが遮断される。
【００１５】
ミルク流路は、好ましくは受ヘッドの外面に及び／又は吸引本体の内面に設けられ、これらはいずれの場合でも他の面の方向に開いている。
【００１６】
ミルク流路は、好ましくは細管として設計される。細管は狭い流路であり、減圧が生じているときを除きミルクの流れがないように面の力が機能すると理解される。
【００１７】
本発明の他の実施形態では、哺乳瓶のための乳首は、寸法安定材料から作製される受ヘッドと、ゴム弾性材料から作製される吸引本体を有し、受ヘッドは乳首の芯として設計され、吸引本体を受ヘッド上に押し付けることができ、吸引本体はマウスピースとそこに延びるミルク放出流路を有し、マウスピース内に減圧が発生したときにミルクがミルク瓶から放出流路に流れ、吸引本体は、初期状態において内面で受ヘッドの外面の少なくとも一部に弾力的に当接し、封止する。この乳首は、細管状ミルク流路を特徴とし、細管状ミルク流路は吸引本体と受けヘッド間の接触領域にあり、マウスピース内の放出流路に向かって延び、マウスピース内に減圧が発生したときに、ミルクがミルク瓶からミルク流路を介して放出流路に流れ、減圧がないときは、吸引本体が初期位置に戻ることができ、ミルクの流れが遮断される。
【００１８】
本発明の他の実施形態では、哺乳瓶のための乳首は、寸法安定材料から作製される受ヘッドと、ゴム弾性材料から作製される吸引本体を有し、受ヘッドは乳首の芯として設計され、吸引本体を受ヘッド上に押し付けることができ、吸引本体はマウスピースとそこに延びるミルク放出流路を有し、マウスピース内に減圧が発生したときにミルクがミルク瓶から放出流路に流れ、吸引本体は、初期状態において、内面で受ヘッドの外面の少なくとも一部に弾力的に当接し、封止し、受ヘッドは瓶内部に通じる流入流路を備える。この乳首は少なくとも１つの流路を特徴とし、流路は受ヘッドに備えられ、吸引本体の接触領域において流入流路から受ヘッドの外面へ延び、マウスピース内に減圧が発生したときに、ミルクがミルク瓶からミルク流路を介して放出流路に流れ、減圧がないときは、吸引本体が初期位置に戻ることができ、ミルクの流れが遮断される。
【００１９】
機能はヒト乳房からの通常の授乳と本質的に同一である。乳児が乳首で又は乳頭で吸引することによって、減圧が生じ、ミルクが瓶から受ヘッドの外面と吸引本体の内面の間を通って出口へ運び出される。
【００２０】
自然吸引動作は基本的に以下の機能とパラメータからなる：吸引強度、吸引リズム、舌動作、唇支持、乳首と乳輪の圧力。本発明による乳首は、授乳の全ての主な機能とパラメータを再現する総合的システムを与える。例えば、乳児によって（唇や舌によって）減圧や圧力が生じていなければ、ミルクは放出されない。もし乳首が共に圧迫されれば、減圧が生じている場合を除き、やはりミルクは流れない。乳首上に減圧と圧力が生じているときのみミルクは流れる。ミルクの量は減圧、吸引リズム、舌と唇の圧力によりこうして調節される。
【００２１】
乳首は柔らかく柔軟に感じられる。これは好ましくは減圧下で長手方向に伸びる（ヒト）乳首に類似する弾力性のある固体から作られる。唇支持部は柔軟であり弾性がある。
【００２２】
本発明による乳首によれば、減圧／ミルク流出の比がヒト乳房のミルクの流出と同程度となる。
【００２３】
また、本発明による乳首は安価に製造でき、最適に洗浄できる。
【００２４】
マウスピース上の吸引と舌の蠕動運動によって、減圧が生じる。減圧が生じ、また舌運動の結果として、マウスピースは変形し軸方向に伸びる。加えて、唇支持部は変形し、乳児の口内の乳首が口蓋方向に深く吸われる。この動作によって、ミルク流路閉鎖壁領域の吸引本体は受ヘッドから上がり放出流路への流路を開く。このようにミルクは瓶からミルク流路とミルク室を通って放出流路へと流れ出る。ミルク流路は受ヘッドの外面と吸引本体の内面の間にある。ミルク流路の目的は、乳児の吸引動作により１回分ずつ瓶からミルクを分配することである。減圧に対するミルクの流出は細管の断面と細管の長さにより決まる。飲用中に乳児が空気を確実に飲み込まないよう注意すべきなので、ミルク室により、特に母親がシステム内に空気が入っていないことを目視で確認できるようにする。ミルク室は任意である。
【００２５】
好ましい実施形態において、実際の吸引本体はシリコーンの柔らかい弾性外部部品とシリコーンのより硬い内部部品から構成され、これらの部品は、好ましくは多部分射出形成技術によって製造され、取り外し不可能に互いに接続している。吸引本体の外部の柔らかい部品は、好ましくは（ヒト）乳首と乳輪のような感触であり、同じように変形する。二成分シリコーン吸引本体の内部のより硬い部品は、吸引本体に必要な安定性を与える。この安定化機能に加えて、吸引本体の内部部品は、弾性マウスピース領域で噛み切られる可能性のある吸引本体に対して保護を与える。内部部品はマウスピース領域で円筒状管として設計される。噛み切りに対する保護は、他の幾何学的形態や素材、例えば螺旋形又は織物(fabric)挿入により備えることが可能である。
【００２６】
既に述べたように、流れの速さは減圧に依存する。小さな減圧ではミルク流出は最小であり、大きな減圧では流出はその大きさに対応して多くなる。乳児がもたらすどのような減圧吸引カーブにも、システムは適応する。このように、例えば、乳児が長い時間高いレベルで減圧を維持することがあっても、ミルクは一定して流れる。減圧が弱められるとすぐにミルクの流出も弱まる。吸引段階で減圧が加わらなければ吸引本体はミルク流路閉鎖壁に当接し、出口を閉じる。このように乳首の機構は、乳児が減圧を維持する時間にかかわらず、乳児の吸引動作にどのような段階でも適応する。
【００２７】
本発明によれば、乳児が乳首に混乱することがないので、自然の授乳がさらに促され、従って授乳が早すぎる時期に終了する危険性もない。
【００２８】
本発明の特に有利な実施形態は従属クレームにある。従属クレームの特徴はクレーム１とクレーム１８,１９に等しく言及できる。
【発明を実施するための最良の形態】
【００２９】
本発明を図面に示される実施形態を参照して以下により詳しく説明する。
下記の本発明は哺乳瓶用乳首又は乳児に与えるための飲用システムに関する。
【００３０】
図1と1＊に概略的に示されるように、この機構は、例えばシリコーンのようなゴム弾性材料により作られる吸引本体１、寸法安定又は寸法固定の分配ヘッド又は受ヘッド２から構成される。ヘッド２は吸引本体１のための受入部を形成し、そして取外し可能に、受ヘッド２を哺乳瓶３にねじ込むための一体化されたねじ山フランジ又はねじ山リング２０３を備える。受ヘッド２は好ましくは射出形成技術により硬質プラスティックから作製する。例えば、硬いプラスティックから作製する。
【００３１】
上記の部品１，２，２’は本発明による乳首を形成する。乳首と瓶3の間の封止リング２０２は、受ヘッド２内に別の部分として一体化することもできるし、別々に設計することもできる。特に多部分射出形成部品として設計することができる。
【００３２】
吸引本体１は公知の乳首に対応しヒト胸部の乳頭に似た外観を有することが好ましい。吸引本体１はミルク放出部１２３のあるチューブ状マウスピース１１７の形の乳首を有し、マウスピース１１７は唇受ヘッド１１９に向けて幅が広がる（図４）。乳首は偏心させて設計してもよい。
【００３３】
吸引本体１は好ましくは厚い壁で設計される。すなわち、受ヘッド２上に被さるくぼみを除いて実質的に空洞ではない。くぼみは、休止状態即ち外部圧力がない状態で吸引本体１が受ヘッド２上に密閉状態で位置するような大きさである。
【００３４】
ミルク放出流路１０６はこのくぼみから吸引本体１の外端のミルク放出部１２３へ通じている。
【００３５】
吸引本体１は図１に示すように一体成形で設計できる。しかしながら、図１＊に示すように、幾つかの部品、特に２部品から作ることもできる。この場合、吸引本体１は外部部品１２０ａと内部部品１２０ｂから構成される。内部部品１２０ｂと外部部品１２０ａは取り外しできないように互いにつながっている。吸引本体１は好ましくは多部分射出形成技術で製造される。吸引本体１は２より多い材料から作ることもできるし、ただ１つの材料から作ることもできる。
【００３６】
吸引本体の外部部品１２０ａは柔軟性のある素材からなる。特にマウスピース１１７と唇支持部１１９はヒト乳頭の形態と硬さに可能な限り対応させることが好ましい。吸引本体１の外部部品１２０ａは、唇支持部１１９とマウスピース１１７の間の移行部において、この傷つきやすく弱い部分を強化するように、好ましくはマウスピース１１７よりも厚い壁を有する。
【００３７】
図２と２＊は分配ヘッド又は受ヘッド２を示す。このヘッド２は吸引本体１を受け、位置を定め、そしてミルクを吸引本体1に移動するために用いられる。受ヘッド２は、瓶に対しねじで取り付けられるキャップのような形をしている。受ヘッド２は内部ねじ２０１がついたねじ山カラー２０３と、キャップに一体成形された分配ヘッド又はヘッド部２０５を有する。このキャップは、ねじ山リング又はねじ山カラー（２０３）に終わるカバー面又は支持面２０４を有する。この支持面２０４から上方に延びているのが首部又は円筒状部品２０６と上記のヘッド部２０５であり、ここではヘッド部は実質的に球形である。これの外壁又は外面は参照番号２１１で表される。この例において、ヘッド部２０５はミルク流路閉鎖壁としての役割を果たす。首部２０６からヘッド部２０５への移行部が封止面２１０を形成している。首部もこの円筒形壁と共に円筒形封止材を形成することができる。
【００３８】
図３ａから３ｄに示すように、受ヘッド部２０５は好ましくは回転体の形であり、特に球、扁平な球、円錐、水滴、円筒、又はこれらの形の組み合わせが好ましい。他の形も可能である。
【００３９】
受ヘッド２には連結流路又は流入流路２０７があり、これは、瓶内部に通じる少なくとも１つの分配流路又は連結流路２０８を経由して、少なくとも１つの開口又は流路のある受ヘッド２の外面へ通じている。
【００４０】
多数の連結流路２０８及び放出部を備えることができる。連結流路２０８は好ましくは少なくとも１つの分配放出部又は分配流路２０９に開口し、これは受ヘッド部２０５の外面上に環状流路として設計されることが好ましい。分配流路２０９は一定の高さでヘッド部２０５の周囲に延びることが好ましい。しかしながら幾つかの流路は互いに上になるように配置することも可能である。
【００４１】
図４に示すように、通気口２１２は瓶内部を通気バルブ１０２へ繋いでいる。これは例えば受ヘッド２の流入流路２０７を経由してもよく、又は直接でもよい。
【００４２】
吸引本体１、図１＊ではゴム弾性内部部品１２０ｂは受ヘッド部２０５の上に押し付けられる。このようにはまっている状態では、図１と図１＊に示すように、吸引本体１は受ヘッド部２０５の支持面２０４、円筒形部品２０６及び外面又は外壁２１１に当接している。これらの面において吸引本体１は密閉され固定される。吸引本体１のくぼみ又はその内壁は、特に図４に示す封止面１１５を形成する。この封止面１１５は実質的に球状であり、又は受ヘッド部２０５の形に適合し、瓶首部の方向に下に細くなる。これは保持面１０６に続き、欄干のように吸引本体１の縦軸に対してほぼ垂直に延び、円筒状首部の形態で狭窄部が続き、これにより円筒状封止材１０５が形成される。このくぼみは再び幅が広くなり、断面において外側に斜めに延びる。流路バルブ１０２はこの領域において円筒円周のへりとして設けられている。
【００４３】
吸引本体１の下部は、好ましくは扁平な形を有し、圧迫面１０１を形成する。受ヘッド２又は乳首受の支持と位置付けはこの圧迫面１０１、円筒状封止材１０５そして保持面１０６を介して行われる。
【００４４】
ミルクは瓶３から連結流路２０８を通って吸引本体１へ流れる。乳首の細管状ミルク流路１１４（下に示す）は分配流路２０９に通じている。下に示されるように、ミルク流路１１４は内部に開いており、どのミルク室１０９も受ヘッド部２０５の外壁又は外面２１１により閉じられる。
【００４５】
ミルク流路とミルク室１０９を、図４と図５に詳細に示す。ここに示される実施形態では、これらは吸引本体の内壁又は封止面１１５において一体化している。しかしながらこれらを受ヘッド２、特にヘッド部２０５の外壁に完全に又は部分的に設けることもできる。受ヘッド２及び／又は吸引本体１をミルク流路１１４又は細管なしで形成し、減圧に関する純粋なバルブ機能としてのみ用いることもできる。
【００４６】
ミルク流路１１４とミルク室１０９は、好ましくは吸引本体１のくぼみの円周の近くに均一に分配される。これらは好ましくは下部からドーム型くぼみ又は内面１１５に沿ってミルク収集流路又はミルク放出流路１１６まで延びている。下部は、取り付けた状態で、好ましくはおおよそ又は完全に受ヘッド２の環状流路２０９に延びている。好ましくはこれらはミルク収集流路又はミルク放出流路１１６の中に開いている、又はこれらはミルク収集流路又はミルク放出流路１１６で終わる。ミルク流路１１５は、好ましくは環状流路２０９の上方かつ、放出流路１１６の下方で途切れる。
【００４７】
ミルク室１０９は、ミルク流路１１４の始点、終点又はミルク流路１１４内の所望の場所に設けることができる。ミルク流路１１４の全てに、又はこれらの幾つかのみに、１つ以上のミルク室１０９を設けることができ、又は設けなくてもよい。
【００４８】
ミルク流路１１４とミルク室１０９は異なった形を有することもできる。ミルク室１０９は、好ましくはくぼみを形成する。例えば、ミルク流路１１４とミルク室１０９は、図５，５ａ，５ｂと６ａから６ｂに示すように直線状、曲線状又は糸状であってもよい。これらは分離して延びてもよいし、他の流路を介して互いに連結してもよい。同様に、ミルク流路１１４の幾つか又は全ては、吸引本体１の代わりに受ヘッド２において、特に受ヘッド部２０５において一体化することもできる。全てのミルク流路１１４のトータルの断面積は、様々な年令の幼児の使用に応じて大きさが異なる。
【００４９】
ミルク流路１１４とミルク室１０９は乳首の縦方向について一方に開いている。すなわちこれらは吸引本体１内のくぼみ又は溝に過ぎず、係合部品なしでは、すなわち受ヘッド２なしではこれらは閉じた流路を形成しない。これらの開口は製造上の理由により存在し、ミルク流路閉鎖壁として作用する受ヘッド部２０５の外壁２１１により閉じられる。
【００５０】
ミルク流路１１４は、減圧下でミルクが流出する細管を形成する。ゴムの正確なショアー硬度を備えた幾何学的な形、幅そして深さが母親の乳房のような自然な吸引とミルクの流出を可能にする。
【００５１】
ミルク室１０９は特に空気を含むことなくミルクが流出することを視覚的に確認する手段として作用する。
【００５２】
吸引本体１の封止面１１５は、一方では、ミルク流路１１４とミルク室１０９を互いに分離し封止する役割を果たし、他方では、流入流路２０７又はミルク供給流路と放出流路１１６の間を閉鎖する役割を果たす。放出流路１１６はミルク流路１１４からミルクを収集し、ミルク放出口１２３へミルクを運ぶ。ここでは放出流路１１６は少なくとも１つの流路を含む。
【００５３】
図９と１０に示すように、乳首の先端は吸引機能により口内に引き込まれ、共に圧迫される。マウスピースは延び、唇支持部１１９の変形の結果としてマウスピースは乳児の口のかなり奥まで届く。マウスピース１１７の軸方向の動きの結果として吸引本体１の封止面１１５はミルク流路閉鎖壁２１１すなわち、受ヘッド２の外面から持ち上がり、そのためミルク流路１１４を減圧状態にする。作られた減圧度が高ければ高いほど、ミルクの流れはさらに促進される。乳児が減圧を弱めるとすぐに乳首は初期位置に戻り、ミルクの流れを遮断する。図９は減圧がないときの閉じたミルク流路又は閉じたバルブを示し、従ってミルクの流れはない。図１０は吸引段階での開いたミルク流路又は開いたバルブを示す。
【００５４】
図７に見られるように瓶内部は通気口封止唇１０２により通気口がつけられている。通気口は瓶３内が減圧であるときに外気が流れ込むことを可能にする。空気は空気流入口１０４を通り、通気口封止唇１０２に流れる。通気口封止唇１０２は空気が一方向にのみ流れることを可能にする。瓶内の負圧が空気が瓶内に流れ込むことを可能にするように、通気口封止唇１０２と通気口２１２の間の隙間は瓶内部と乳首を接続する。
【００５５】
瓶３内がなり得る過圧力下において、通気口封止唇１０２は支持面２０４上に圧迫され空気又は液体が流れ出ることを防ぐ。
【００５６】
図８は受ヘッド２の他の例を示す。受ヘッド部２０５とねじ山リング２０３は２つの部分として形成されている。ねじ山リング２０３は哺乳瓶の公知のねじ山リングに多かれ少なかれ一致する。吸引本体１はこのねじ山リング２０３を介して導かれ、これによって瓶上に保持されている。受ヘッド部２０５は吸引本体１のくぼみ内に押し込まれ、係合して保持される。
【００５７】
図１１に示す実施形態では、重要な機能的装置を形成する安全装置をもまた備える。乳児の怪我の原因となりうるあらゆる欠陥を避ける役割を果たす。ある程度の年を経過した後又はある程度の使用期間の後、乳首の一部がゆるくなって、乳児がこの外れた部分を飲み込んだり、又は乳児の喉に詰まる前に母親に欠陥に気づかせるように、裂けることが意図されている明確な弱点が設けられている。
【００５８】
この例において安全装置は所定破損領域１１８により構成される。これは吸引本体１のマウスピース１１７から唇支持部１１９への移行領域内に設けられる。この領域は一番動かされる乳首の部分である。
【００５９】
所定破損領域１１８において、ある程度の年を経過した後、乳首が完全に裂ける代わりに一側面のみで液漏れが起こるように、吸引本体１の一側面に、明確な壁厚減少部がある。これと併用して、放出流路１１６の偏心又はオフセット配置によって、乳首の一側面を弱くすることもできる。この方法によると、所定破損領域１１８はさらに支持される。このようにして乳首の一部がゆるくなり、飲み込まれることを防ぐことが可能となる。代わりに、乳首は特定の場所で破損し始め、又は液漏れし始める。
【００６０】
所定破損領域１１８は他の乳首、特に従来の中空乳首でも用いることができる。
【００６１】
本発明による乳首は、より自然に近い吸引動作を可能とする。
【図面の簡単な説明】
【００６２】
図１は哺乳瓶に取り付けられた、本発明の第１の実施形態による乳首の基本構造の概略断面図である。
図２は図１による一体化されたねじ山フランジを有する受ヘッド（吸引本体受部）の断面図である。
図１＊と図２＊は乳首と受ヘッドの第２の実施形態をそれぞれ示す図である。
図３は本発明による乳首の第３の実施形態の組立分解図を瓶と共に示す図である。
図３ｂから３ｄは図３の受ヘッド部の異なる形態の概略図である。
図４は図１＊の吸引本体の断面図である。
図５は図３の乳首を組み立てた状態で示す図である。
図５ａは図３ａの吸引本体の下方からの斜視図である。
図５ｂは図３ａの吸引本体と受ヘッドの組立分解図であり、吸引本体を下方から見ている。
図６ａから６ｄは他の実施形態での本発明による吸引本体の縦断面図である。
図７は瓶内部に通じ、吸引本体と受ヘッド間にある通気口の拡大詳細図である。
図８は他の実施形態での本発明による乳首の縦断面図である。
図９は初期位置（減圧なし）の乳首を示す図である。
図１０は吸引段階の乳首を示す図である。
図１１は他の実施形態による、本発明による、安全装置を有する吸引本体を示す図である。
【符号の説明】
【００６３】
１        吸引本体
１０１    圧迫面
１０２    通気口封止唇
１０４    空気流入口
１０５    円筒状封止材
１０６    保持面
１０９    ミルク室
１１４    ミルク流路（細管）
１１５    封止面
１１６    放出流路
１１７    マウスピース
１１８    所定破損領域
１１９    唇支持部
１２０ａ  吸引本体の外部部品
１２０ｂ  吸引本体の内部部品
１２３    ミルク放出部
２        受ヘッド
２０１    ねじ
２０２    封止リング
２０３    ねじ山リング、ねじ山カラー
２０４    支持面
２０５    受ヘッド部
２０６    円筒状封止材（壁面）
２０７    流入流路
２０８    連結流路
２０９    分配流路
２１０    封止面
２１１    ミルク流路閉鎖壁又はヘッド外面
２１２    通気口
３        瓶
【図１】
2009538161.tif 000003
【図２】
2009538161.tif 000004
2009538161.tif 000005
【図３ａ】
2009538161.tif 000006
【図３ｂ】
2009538161.tif 000007
【図３ｃ】
2009538161.tif 000008
【図３ｄ】
2009538161.tif 000009
【図４】
2009538161.tif 000010
【図５】
2009538161.tif 000011
【図５ａ】
2009538161.tif 000012
【図５ｂ】
2009538161.tif 000013
【図６ａ】
2009538161.tif 000014
【図６ｂ】
2009538161.tif 000015
【図６ｃ】
2009538161.tif 000016
【図６ｄ】
2009538161.tif 000017
【図７】
2009538161.tif 000018
【図８】
2009538161.tif 000019
【図９】
2009538161.tif 000020
【図１０】
2009538161.tif 000021
【図１１】
2009538161.tif 000022
【国際調査報告】
2009538161.tif 000023
2009538161.tif 000024
2009538161.tif 000025
2009538161.tif 000026
2009538161.tif 000027
2009538161.tif 000028
2009538161.tif 000029
2009538161.tif 000030
2009538161.tif 000031
2009538161.tif 000032